(57)【要約】【課題】密着性を向上させることができると共に、検出した脳波として伝達される電気信号のノイズの発生を防止することができる脳波検出用生体電極を提供する。【解決手段】脳波検出用生体電極１において、電極部２０は、突出部２２の各々の内部に向かって凹む接触凹部２５を有しており、接触凹部２５は、接続対象部材３０の有する表面が金属材から形成された突出する部分である接触突出部３４が圧入可能に形成されており、電極部２０の突出部２２がホルダ部１０の貫通孔１１を貫通している状態において、接触凹部２５は、接続対象部材３０の接触突出部３４を夫々収容可能に配置されている。【選択図】図３
2019126652.tif 000002
【特許請求の範囲】
【請求項１】
接続対象部材を収容する一方の側から凹む収容凹部と、該収容凹部から他方の側に貫通する複数の貫通孔とを有するホルダ部と、
前記貫通孔の周面よりも外周側に広がる基底部と該基底部から突出した前記貫通孔を貫通可能な少なくとも１つの突出部とを有する少なくとも１つの導電性弾性体から形成された電極部とを備え、
前記電極部は、前記突出部の各々の内部に向かって凹む接触凹部を有しており、
前記接触凹部は、前記接続対象部材の有する表面が金属材から形成された突出する部分である接触突出部が圧入可能に形成されており、前記電極部の前記突出部が前記ホルダ部の前記貫通孔を貫通している状態において、前記接触凹部は、前記接続対象部材の前記接触突出部を夫々収容可能に配置されていることを特徴とする脳波検出用生体電極。
【請求項２】
前記ホルダ部は、弾性体から形成された環状の部材である保持部材を有しており、該保持部材は、前記収容凹部において該収容凹部の内面と前記接続対象部材の外面との間で圧縮されるように、前記保持部材の内周側の部分は前記収容凹部内に位置するようになっていることを特徴とする請求項１記載の脳波検出用生体電極。
【請求項３】
前記保持部材は、Ｏリングであることを特徴とする請求項２記載の脳波検出用生体電極。
【請求項４】
前記収容凹部の内面には、前記接続対象部材の収容方向を規定するガイド部が形成されていることを特徴とする請求項１乃至３のいずれか１項記載の脳波検出用生体電極。
【請求項５】
前記電極部を１つ有しており、前記電極部は、前記複数の貫通孔毎に設けられた複数の前記突出部を有していることを特徴とする請求項１乃至４のいずれか１項記載の脳波検出用生体電極。
【請求項６】
前記電極部は、前記複数の貫通孔毎に夫々設けられており、前記電極部の各々は、前記突出部を１つ有していることを特徴とする請求項１乃至４のいずれか１項記載の脳波検出用生体電極。
【発明の詳細な説明】
【技術分野】
【０００１】
本発明は、脳波検出用生体電極に関し、特に、被験者の頭皮に接触させて脳波を検出する脳波検出用生体電極に関する。
【背景技術】
【０００２】
従来から、脳波検出用生体電極は、例えば、アルツハイマー病の早期発見等を目的とした脳機能状態の解析のための脳波信号の検出に用いられている。脳波検出用生体電極は、脳波信号の検出のために、電極部が被験者の頭皮に直接接触させられて用いられている。従来の脳波検出用生体電極の電極部には、電解液を含んだ弾性部材によって金属電極部材を被覆しているものや、尖った先端部を有する金属電極部材を弾性部材で覆っているものがある（例えば、特許文献１参照。）。
【先行技術文献】
【特許文献】
【０００３】
【特許文献１】特開２００６−３４４２９号公報
【発明の概要】
【発明が解決しようとする課題】
【０００４】
このような従来の脳波検出用生体電極においては電極部材が金属製であり、頭皮への密着性が低かった。このため、従来の脳波検出用生体電極に対しては、密着性を向上させることができる構造が求められていた。また、従来の脳波検出用生体電極において、検出された脳波は電気信号として信号解析装置に伝達されるが、従来から、この伝達される電気信号にノイズが発生しない構成が求められていた。
【０００５】
本発明は、上述の課題に鑑みてなされたものであり、その目的は、密着性を向上させることができると共に、検出した脳波として伝達される電気信号のノイズの発生を防止することができる脳波検出用生体電極を提供することにある。
【課題を解決するための手段】
【０００６】
上記目的を達成するために、本発明に係る脳波検出用生体電極は、接続対象部材を収容する一方の側から凹む収容凹部と、該収容凹部から他方の側に貫通する複数の貫通孔とを有するホルダ部と、前記貫通孔の周面よりも外周側に広がる基底部と該基底部から突出した前記貫通孔を貫通可能な少なくとも１つの突出部とを有する少なくとも１つの導電性弾性体から形成された電極部とを備え、前記電極部は、前記突出部の各々の内部に向かって凹む接触凹部を有しており、前記接触凹部は、前記接続対象部材の有する表面が金属材から形成された突出する部分である接触突出部が圧入可能に形成されており、前記電極部の前記突出部が前記ホルダ部の前記貫通孔を貫通している状態において、前記接触凹部は、前記接続対象部材の前記接触突出部を夫々収容可能に配置されていることを特徴とする。
【０００７】
本発明の一態様に係る脳波検出用生体電極において、前記ホルダ部は、弾性体から形成された環状の部材である保持部材を有しており、該保持部材は、前記収容凹部において該収容凹部の内面と前記接続対象部材の外面との間で圧縮されるように、前記保持部材の内周側の部分は前記収容凹部内に位置するようになっている。
【０００８】
本発明の一態様に係る脳波検出用生体電極において、前記保持部材は、Ｏリングである。
【０００９】
本発明の一態様に係る脳波検出用生体電極において、前記収容凹部の内面には、前記接続対象部材の収容方向を規定するガイド部が形成されている。
【００１０】
本発明の一態様に係る脳波検出用生体電極において、前記電極部を１つ有しており、前記電極部は、前記複数の貫通孔毎に設けられた複数の前記突出部を有している。
【００１１】
本発明の一態様に係る脳波検出用生体電極において、前記電極部は、前記複数の貫通孔毎に夫々設けられており、前記電極部の各々は、前記突出部を１つ有している。
【発明の効果】
【００１２】
本発明に係る脳波検出用生体電極によれば、密着性を向上させることができると共に、検出した脳波として伝達される電気信号のノイズの発生を防止することができる。
【図面の簡単な説明】
【００１３】
【図１】本発明の実施の形態に係る脳波検出用生体電極の構成を概略的に示す正面図である。
【図２】本発明の実施の形態に係る脳波検出用生体電極の構成を概略的に示す側面図である。
【図３】本発明の実施の形態に係る脳波検出用生体電極の図２に示すＡ−Ａ断面における断面図である。
【図４】本発明の実施の形態に係る脳波検出用生体電極の変形例の図２に示すＡ−Ａ断面における断面図である。
【発明を実施するための形態】
【００１４】
以下、本発明の実施の形態について図面を参照しながら説明する。
【００１５】
図１は、本発明の実施の形態に係る脳波検出用生体電極１の構成を概略的に示す正面図であり、図２は、脳波検出用生体電極１の構成を概略的に示す側面図である。また、図３は、脳波検出用生体電極１の図２に示すＡ−Ａ断面における断面図である。図１〜３に示すように、本発明の実施の形態に係る脳波検出用生体電極１は、接続対象部材３０を収容する一方の側から凹む収容凹部１２と、この収容凹部１２から他方の側に貫通する複数の貫通孔１１とを有するホルダ部１０と、貫通孔１１の周面よりも外周側に広がる基底部２１とこの基底部２１から突出した貫通孔１１を貫通可能な少なくとも１つの突出部２２とを有する少なくとも１つの導電性弾性体から形成された電極部２０とを備え、電極部２０は、突出部２２の各々の内部に向かって凹む接触凹部２５を有しており、接触凹部２５は、接続対象部材３０の有する表面が金属材から形成された突出する部分である接触突出部３４が圧入可能に形成されており、電極部２０の突出部２２がホルダ部１０の貫通孔１１を貫通している状態において、接触凹部２５は、接続対象部材３０の接触突出部３４を夫々収容可能に配置されている。以下、脳波検出用生体電極１の構成について具体的に説明する。
【００１６】
脳波検出用生体電極１は、信号解析装置に接続されて用いられ、電極部２０の突出部２２が被験者の頭皮に接触して脳波を検出する。検出された脳波は、電気信号として電極部２０、接続対象部材３０を介して信号解析装置に伝達される。これにより、信号解析装置において被験者の脳波が解析される。
【００１７】
図１〜３に示すように、ホルダ部１０は、有底円筒状又は有底略円筒状の部材であり、接続対象部材３０を収容可能に形成された所定の深さを有する凹部である収容凹部１２が形成されている。具体的には、ホルダ部１０は、円盤状又は略円盤状の円盤部１３と、円盤部１３の一方の面である対向面１３ａから立設された円筒状又は略円筒状の円筒部１４とを備えている。円筒部１４は、例えば、図３に示すように、円盤部１３の外縁に形成されている。なお、ホルダ部１０における円筒部１４の配設位置はこれに限らず、円筒部１４はホルダ部１０において円盤部１３の外縁よりも内周側に形成されていてもよい。ホルダ部１０において、円盤部１３と円筒部１４とは一体に形成されている。ホルダ部１０は、例えば、硬質の樹脂やゴム等の弾性体の絶縁体により形成されている。
【００１８】
図１〜３に示すように、ホルダ部１０において、円盤部１３には、対向面１３ａとこれと背向する面である外側面１３ｂとの間で円盤部１３を貫通した複数の貫通孔１１が設けられている。複数の貫通孔１１は、各々円筒状又は略円筒状に形成されている。例えば、円盤部１３の中心又は略中心から同一又は略同一の半径上に等角度間隔又は略等角度間隔に複数（例えば３つ）の貫通孔１１が設けられている。なお、円盤部１３における貫通孔１１の数及び配置位置はこれに限るものではなく、円盤部１３は、貫通孔１１を任意の数及び位置に有していればよい。
【００１９】
また、ホルダ部１０は、弾性体から形成された環状の部材である保持部材１６を有しており、この保持部材１６は、収容凹部１２においてこの収容凹部１２の内面と接続対象部材３０の外面との間で圧縮されるように、保持部材１６の内周側の部分は収容凹部１２内に位置するようになっている。保持部材１６は、例えば、ゴムや樹脂等の弾性部材から形成されており、また、断面円状又は断面略円状であり、円環状又は略円環状のＯリングである。保持部材１６は、収容凹部１２内で接続対象部材３０を押し付けて、収容凹部１２内に接続対象部材３０を嵌着可能となるように設けられていればよく、例えば、後述するホルダ部１０の環状溝１５に取り付けられている。
【００２０】
ホルダ部１０において、円筒部１４の内周面１４ａには、環状溝１５が形成されている。具体的には、環状溝１５は円筒部１４の内周面１４ａから外周面１４ｃ側に向かって所定の深さを有する円環状又は略円環状の溝である。また、環状溝１５の幅（円筒部１４の延び方向における寸法）は、保持部材１６の厚さ（その軸線方向における寸法）よりも大きくなっている。環状溝１５は、例えば、円筒部１４の先端部分である円環状又は略円環状の端面１４ｂ側に形成されている。また、環状溝１５の深さ（円筒部１４の径方向における寸法）は、保持部材１６の幅（その径方向における寸法）よりも小さくなっている。このため、保持部材１６は、外周側の一部が環状溝１５に収容されるようになっており、内周側の一部が環状溝１５から円筒部１４の中心側に向かって突出するようになっている。
【００２１】
また、収容凹部１２の内面には、接続対象部材３０の収容方向を規定するガイド部１７が形成されている。具体的には、ガイド部１７は、円環状又は略円環状の部材であり、外周側の縁部が環状溝１５の底部１５ａに接触するようになっており、また、内周側の縁部内に接続対象部材３０が挿入可能になっている。また、ガイド部１７には、その内周縁から中心方向に向かって突出するガイド突出部１７ａが設けられている。ガイド部１７は、脳波検出用生体電極１の使用状態において、接続対象部材３０の後述するガイド溝３２に係合するようになっている。ガイド部１７は、環状溝１５内に収容されて、保持部材１６によって環状溝１５における円筒部１４の端面１４ｂ側の面に押し付けられて環状溝１５内に固定されている。なお、ホルダ部１０は、ガイド部１７を有していなくてもよく、ガイド突出部１７ａが収容凹部１２の内面に設けられていてもよい。また、ガイド突出部１７ａは、複数設けられていてもよい。
【００２２】
脳波検出用生体電極１は、電極部２０を１つ有しており、電極部２０は、基底部２１と、複数の貫通孔１１毎に設けられた複数の突出部２２と、突出部２２の各々の内部に向かって凹む接触凹部２５とを有している。つまり、脳波検出用生体電極１は、１つの基底部２１及び複数の突出部２２を有する電極部２０を１つ有している。電極部２０において、基底部２１と突出部２２とは一体に形成されている。
【００２３】
電極部２０は、例えば、導電性弾性体により形成されている。導電性弾性体は、例えば、導電性粉体材料が混入された弾性体から形成されている。弾性体は、例えば、シリコーン樹脂等の高分子材料である。また、導電性粉体材料には、例えば、グラファイト、カーボンナノチューブ、銀微粒子等の金属粒子、ＡｇＣｌ粒子等が用いられている。なお、電極部２０の材料は、これに限るものでなく、導電性弾性体は、例えば、有機導電性ポリマーやイオン性液体を含侵させた高分子材料により形成されていてもよい。
【００２４】
電極部２０において、基底部２１は、円盤状又は略円盤状に形成されている。基底部２１は、円筒部１４内に収容されるようになっており、基底部２１の直径は、例えば、円筒部１４の内周面１４ａの直径と同一又は略同一の直径となっている。また、基底部２１の厚さ（突出部２２の延び方向における寸法）の値は、ホルダ部１０の円筒部１４の深さ（貫通孔１１の延び方向における寸法）の値よりも小さくなっている。
【００２５】
電極部２０において、突出部２２は、円盤部１３における貫通孔１１の相対位置関係と同様の相対位置関係となるように基底部２１に配設されている。突出部２２は、その延び方向における長さが、円盤部１３の貫通孔１１の延び方向における長さよりも長くなっており、円盤部１３の貫通孔１１を貫通して円盤部１３の対向面１３ａに背向する外側面１３ｂから突出するようになっている。突出部２２は、基底部２１の一方の面である対向面２１ａと背向する面である背向面２１ｂから延びる円柱状又は略円柱状の部分である突出部本体部２３と、円錐状又は略円錐状の部分であるブラシ部２４とを有している。突出部本体部２３の直径は、円盤部１３の貫通孔１１の直径と同一又は略同一の直径となっており、突出部本体部２３は貫通孔１１を貫通可能になっている。突出部本体部２３の延び方向における長さは、円盤部１３の貫通孔１１の延び方向における長さよりも長くなっていることが好ましい。ブラシ部２４は、突出部本体部２３の先端に接続しており、その先端部へ向かって直径が次第に小さくなる先細形状を有している。ブラシ部２４は、主として被験者の頭皮と接触する接触部分である。ブラシ部２４は、先端部分が丸みを有しているものが好ましい。
【００２６】
電極部２０において、接触凹部２５は、夫々基底部２１の対向面２１ａから突出部２２の延び方向に向かって内部に凹む円筒状又は略円筒状の空間を形成する所定の深さを有する凹状の部分である。接触凹部２５の延び方向における深さは、例えば、基底部２１を貫通して突出部２２の突出部本体部２３には達しているが、突出部２２のブラシ部２４までは達していない。また、接触凹部２５は、その底面が突出部２２側へ向かって直径が次第に小さくなる先細形状を有している。また、接触凹部２５は、突出部２２の突出部本体部２３と同軸又は略同軸の位置となっており、接触凹部２５の直径は、突出部２２の突出部本体部２３よりも小さくなっており、さらに後述する接続対象部材３０の接触突出部３４の直径よりも小さくなっており、接触突出部３４が圧入されるようになっている。
【００２７】
接続対象部材３０は、円柱状又は略円柱状の本体部３１と、本体部３１の一方の側の面である対向面３１ａに背向する外側面３１ｂから対向面３１ａに向かって延びるガイド溝３２と、電極部２０の接触凹部２５毎に設けられた複数の接続対象部材側接触凹部３３と、円柱状又は略円柱状の接触突出部３４とを有している。
【００２８】
接続対象部材３０において、本体部３１の直径は、ホルダ部１０の円筒部１４における内周面１４ａの直径及び電極部２０の基底部２１の直径と同一又は略同一の直径になっている。また、本体部３１は、その延び方向における長さが、ホルダ部１０の円筒部１４における内周面１４ａの延び方向における長さよりも長くなっている。このため、本体部３１は、一部が円筒部１４に収容されるようになっており、一部が円筒部１４からその延び方向に向かって突出するようになっている。本体部３１の外側面３１ｂには、図示しない信号解析装置に接続するリード線が取り付けられている。
【００２９】
接続対象部材３０において、ガイド溝３２は、ホルダ部１０のガイド部１７のガイド突出部１７ａを収容可能な形状に形成されており、ガイド突出部１７ａと対応する断面形状に形成されている。ガイド溝３２は、対向面３１ａに達しており、接続対象部材３０が収容凹部１２に収容される深さと同じ又はそれ以上延びている。ガイド溝３２の延び方向における長さは、例えば本体部３１の延び方向における長さと同一又は略同一の長さとなっている。また、ガイド溝３２の接続対象部材３０の周方向における幅は、ガイド部１７のガイド突出部１７ａの周方向における幅と同一又は略同一の幅になっている。また、接続対象部材３０において、ガイド溝３２は、ガイド溝３２にガイド突出部１７ａが収容されて接続対象部材３０が収容凹部１２に挿入された場合に、電極部２０の複数の突出部２２が貫通孔１１を貫通するような位置に、または、接触突出部３４が電極部２０の接触凹部２５に挿入されるような位置に設けられている。ガイド部１７のガイド突出部１７ａが複数設けられている場合は、ガイド溝３２は、ガイド部１７のガイド突出部１７ａに対応した数及び位置に形成されている。
【００３０】
接続対象部材３０において、接続対象部材側接触凹部３３は、電極部２０における接触凹部２５の相対位置関係と同様の相対位置関係となるように本体部３１の対向面３１ａに配設されている。接続対象部材側接触凹部３３は、夫々接続対象部材３０の対向面３１ａから本体部３１の延び方向に向かって内部に凹む円筒状又は略円筒状の空間を形成する所定の深さを有する凹状の部分である。
【００３１】
接続対象部材３０において、接触突出部３４は、その延び方向における長さが、接続対象部材側接触凹部３３の深さよりも長くなっており、一部が接続対象部材側接触凹部３３に収容されるようになっており、一部が接続対象部材側接触凹部３３からその延び方向に向かって外部に突出するようになっている。また、接触突出部３４の直径は、接続対象部材側接触凹部３３の直径よりも外周側に僅かに大きくなっており、接触突出部３４は、接続対象部材側接触凹部３３に圧入されて保持されるようになっている。また、接触突出部３４の延び方向における突出部分の長さは、電極部２０の接触凹部２５の深さ以下であり、例えば、電極部２０の接触凹部２５の深さと同一又は略同一の長さになっている。また、接触突出部３４の直径は、電極部２０の接触凹部２５の直径よりも大きくなっており、接触突出部３４は、夫々電極部２０の接触凹部２５に圧入されて収容されるようになっている。また、接触突出部３４は、その先端が、電極部２０の接触凹部２５の先細形状に合わせた円錐状又は略円錐状に形成されている。接触突出部３４の表面は、金属等の導電体から形成されている。接触突出部３４は、全体が金属材で形成されていてもよい。上述の信号解析装置に接続するリード線は、接続対象部材３０において接触突出部３４に接続されている。
【００３２】
ホルダ部１０、電極部２０、及び接続対象部材３０は夫々上述のような構成を有しており、脳波検出用生体電極１においては、電極部２０がホルダ部１０の収容凹部１２に収容されており、接続対象部材３０がホルダ部１０の収容凹部１２に保持されている。具体的には、電極部２０の複数の突出部２２が貫通孔１１を貫通してホルダ部１０の円盤部１３の外側面１３ｂから飛び出しており、基底部２１がホルダ部１０の円盤部１３の対向面１３ａに当接されている。また、接続対象部材３０の接触突出部３４が電極部２０の接触凹部２５に圧入されている。これにより、電極部２０は接続対象部材３０の対向面３１ａに当接されて固定されている。また、接続対象部材３０の本体部３１は、保持部材１６の突出部分が円筒部１４の内周面１４ａにおける環状溝１５と接続対象部材３０の本体部３１の外周面３１ｃとの間で圧縮されることで保持部材１６内に挟持されてホルダ部１０の収容凹部１２内に保持されている。また、接続対象部材３０の本体部３１は、電極部２０の基底部２１をホルダ部１０の円盤部１３との間で圧縮して挟持している。これにより、電極部２０の基底部２１は、接続対象部材３０とホルダ部１０との間において保持されている。
【００３３】
このように、脳波検出用生体電極１によれば、接続対象部材３０の接触突出部３４が電極部２０の接触凹部２５に圧入されており、電極部２０の接触凹部２５と接続対象部材３０の接触突出部３４とが均一な面圧で夫々接触している。このため、接触突出部３４の接触凹部２５内に挿入された部分の側面全体が均一な力で接触凹部２５に押し付けられており、接触凹部２５と接触突出部３４との間の接触を均一な状態に保持することができ、検出した脳波として伝達される電気信号のノイズの発生を防止することができる。また、接続対象部材３０の接触突出部３４による接触は、接続対象部材３０と電極部２０との間の接触よりも接触面積が小さくなっているため、均一な接触状態の維持を容易にすることができる。
【００３４】
また、脳波検出用生体電極１においては、電極部２０の突出部２２がホルダ部１０の貫通孔１１を貫通しており、接続対象部材３０の接触突出部３４が電極部２０の接触凹部２５に圧入されているため、ホルダ部１０と接続対象部材３０とが相対回転不能であり、ホルダ部１０と接続対象部材３０との間をねじにより固定することができない。しかしながら、ホルダ部１０が弾性体から形成された環状の部材である保持部材１６を有しているので、接続対象部材３０を収容凹部１２に挿入することにより、保持部材１６により接続対象部材３０を保持し、収容凹部１２内に接続対象部材３０を固定することができる。
【００３５】
また、収容凹部１２の内面には、接続対象部材３０の収容方向を規定するガイド部１７が形成されていることで、ガイド部１７を接続対象部材３０のガイド溝３２に係合させるだけで電極部２０の突出部２２をホルダ部１０の貫通孔１１に貫通させることができ、または、接続対象部材３０の接触突出部３４を電極部２０の接触凹部２５に圧入させることができるため、脳波検出用生体電極１の組立を容易にすることができる。
【００３６】
また、脳波検出用生体電極１によれば、電極部２０が導電性弾性体により形成されており、電極部２０が変形し易くなっており、使用時に被験者の頭皮に電極部２０全体が接触し易くなっており、密着性が向上されている。一方、基底部２１も変形し易くなっているが、基底部２１は接続対象部材３０とホルダ部１０との間において強固に保持されており、被験者の頭皮に電極部２０が押しつけられたり、この状態で脳波検出用生体電極１が動かされて電極部２０が押しつけられる角度が変わった場合であっても、電極部２０がホルダ部１０から抜け出ることを防止できる。また、電極部２０を１つ有しており、電極部２０は、基底部２１と、複数の貫通孔１１毎に設けられた複数の突出部２２とを有していることで、電極部２０を一度にホルダ部１０に取り付けることができるため、脳波検出用生体電極１の構造を簡潔にすることができ、製造を容易にすることができる。
【００３７】
このように、本発明の実施の形態に係る脳波検出用生体電極１によれば、密着性を向上させることができると共に、検出した脳波として伝達される電気信号のノイズの発生を防止することができる。
【００３８】
以上、本発明の実施の形態について説明したが、本発明は上記本発明の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本発明の具体的使用態様によって適宜変更され得る。
【００３９】
例えば、図４に示すように、電極部２０が複数の貫通孔１１毎に夫々設けられており、電極部２０の各々が突出部２２を１つ有していてもよい。これにより、突出部２２の径や形状が異なる電極部２０を使用したい場合や突出部２２が破損した場合にも、電極部２０を電極部２０毎に容易に交換することができるため、メンテナンス性や使い勝手を向上させることができる。この場合、貫通孔１１の周りに電極部２０の基底部２１を収容する対向面１３ａから凹む段部１１ａが形成されていてもよい。
【００４０】
また、脳波検出用生体電極１として突出部２２が突出部本体部２３とブラシ部２４とを有する場合を一例に本発明の実施の形態について説明したが、突出部２２が全体として円錐状又は略円錐状に形成されていてもよく、また、円柱状や角柱状等の他の形状であってもよい。
【００４１】
また、脳波検出用生体電極１として円筒部１４の内周面１４ａが円筒面状又は略円筒面状、若しくは円盤状又は略円盤状に形成されており、接続対象部材３０の本体部３１が円盤状又は略円盤状に形成されている場合を一例に本発明の実施の形態について説明したが、円筒部１４の内周面１４ａが四角筒面状であり、本体部３１が円筒部１４の内周面１４ａに対応する四角柱状であってもよく、形状は限定されない。
【００４２】
また、脳波検出用生体電極１としてホルダ部１０の収容凹部１２に接続対象部材３０の本体部３１が保持されて接続対象部材３０がホルダ部１０に固定されるものとしたが、接続対象部材３０のホルダ部１０への固定構成はこれに限られるものではない。接続対象部材３０はホルダ部１０にボルト及びネジ孔又はナットによって固定されてもよく、他の固定部材によって固定されてもよい。この場合、ホルダ部１０において、収容凹部１２を省略してもよい。
【符号の説明】
【００４３】
１…脳波検出用生体電極、１０…ホルダ部、１１…貫通孔、１１ａ…段部、１２…収容凹部、１３…円盤部、１３ａ…対向面、１３ｂ…外側面、１４…円筒部、１４ａ…内周面、１４ｂ…端面、１４ｃ…外周面、１５…環状溝、１５ａ…底部、１６…保持部材、１７…ガイド部、１７ａ…ガイド突出部、２０…電極部、２１…基底部、２１ａ…対向面、２１ｂ…背向面、２２…突出部、２３…突出部本体部、２４…ブラシ部、２５…接触凹部、３０…接続対象部材、３１…本体部、３１ａ…対向面、３１ｂ…外側面、３１ｃ…外周面、３２…ガイド溝、３３…接続対象部材側接触凹部、３４…接触突出部
【図１】
2019126652.tif 000003
【図２】
2019126652.tif 000004
【図３】
2019126652.tif 000005
【図４】
2019126652.tif 000006